(57)【要約】【課題】持ち運びに適した小型の筐体でありながら、外付けのアンテナを外的圧力から保護できるオーディオ装置を提供する。【解決手段】少なくとも放送受信部１７を内蔵する筐体１と、放送受信部１７に接続されたアンテナ６と、アンテナ６を筐体１の外面部に沿って固定するアンテナ固定部８と、アンテナ固定部８に固定されたアンテナ６に沿って筐体１の外部面に形成された凸条部１０とを備えたオーディオ装置１００である。筐体１は、手で把持することが可能な奥行を有し、凸条部１０は、筐体１の奥行方向片側面にあってアンテナ固定部８に固定されたアンテナ６よりも下側となる位置に形成され、且つ筐体１を手で把持するとき凸条部１０の下面部１０Ａに指先を掛けることが可能な位置に形成されている。【選択図】図４
2012109648.tif 000002
【特許請求の範囲】
【請求項１】
少なくとも放送受信部を内蔵する筐体と、
前記放送受信部に接続されたアンテナと、
前記アンテナを前記筐体の外面部に沿って固定するアンテナ固定部と、
前記アンテナ固定部に固定されたアンテナに沿って前記筐体の外部面に形成された凸条部と、
を備えていることを特徴とするオーディオ装置。
【請求項２】
前記筐体は、その前面及び背面に指先を押し当てて把持することが可能な奥行を有し、
前記凸条部は、前記筐体の前面及び背面のいずれか一方にあって前記アンテナ固定部に固定されたアンテナよりも下側となる位置に形成され、且つ前記筐体を手で把持するとき前記凸条部の下面部に指先を掛けることが可能な位置に形成されていることを特徴とする請求項１記載のオーディオ装置。
【請求項３】
前記凸条部の下面部に、前記凸条部の他の面よりも大きな摩擦力を有する滑り止め手段が設けられていることを特徴とする請求項２記載のオーディオ装置。
【請求項４】
前記凸条部は中空構造であり、その一部が前記筐体内に連通して別の一部が外部に開放されていることを特徴とする請求項１〜３のいずれか１項に記載のオーディオ装置。
【請求項５】
前記筐体の上面における長手方向両側に、前記筐体を把持する手が収まる間隔をあけて一対のマイクロフォン、もしくは一対のスピーカユニットが設けられていることを特徴とする請求項１〜４のいずれか１項に記載のオーディオ装置。
【発明の詳細な説明】
【技術分野】
【０００１】
本発明は、アンテナを有するオーディオ装置に係わり、特に持ち歩くことのできる可搬型にして、アンテナを外的圧力から保護できるようにしたオーディオ装置に関する。
【背景技術】
【０００２】
従来、ラジオ放送などを受信して聴取することができるようアンテナを備えたオーディオ装置が知られる。その種のオーディオ装置では、アンテナを筐体の外部に取り付けていることが多く、オーディオ装置が小型化した場合には、その持ち運びに際し、誤ってアンテナに手を掛けるなどしてアンテナを変形、破損させてしまうことがある。
【０００３】
そこで、機器本体に設けたハンドルに溝形のアンテナ収納部を設け、機器本体の持ち運びに際して、そのアンテナ収納部にアンテナを没入させ得るようにした装置が提案されている（例えば、特許文献１）。
【先行技術文献】
【特許文献】
【０００４】
【特許文献１】特開平９−２５２２１１号公報
【発明の概要】
【発明が解決しようとする課題】
【０００５】
しかしながら、特許文献１では、ハンドルを用いて把持するため、その周囲において、機器本体の部位を逃げ部として凹状に切り欠いていることから、機器の小型化が伴わず、ハンドルを含めた構造も複雑となる。
【０００６】
又、特許文献１によれば、アンテナがハンドルに形成した溝形の収納部に没入されることから、その収納部からアンテナを引き出すこと困難であり、アンテナを使用に際して収納部から引き出すには、収納部から張り出した小径の先端部分を摘むことになるので、その引き出しに際して先端部分を曲げてしまうことが懸念される。
【０００７】
本発明は以上のような事情に鑑みて成されたものであり、その目的は持ち運びに適した小型の筐体でありながら、外付けのアンテナを外的圧力から保護できるようにすることにある。
【課題を解決するための手段】
【０００８】
本発明は上記の目的を達成するため、以下に記載するようなオーディオ装置を影響するものである。
（１）少なくとも放送受信部１７を内蔵する筐体１と、前記放送受信部１７に接続されたアンテナ６と、前記アンテナ６を前記筐体１の外面部に沿って固定するアンテナ固定部８と、前記アンテナ固定部８に固定されたアンテナ６に沿って前記筐体１の外部面に形成された凸条部１０と、を備えていることを特徴とするオーディオ装置。
（２）前記筐体１は、その前面１Ａ及び背面１Ｃに指先を押し当てて把持することが可能な奥行を有し、前記凸条部１０は、前記筐体１の前面１Ａ及び背面１Ｃのいずれか一方にあって前記アンテナ固定部８に固定されたアンテナ６よりも下側となる位置に形成され、且つ前記筐体１を手で把持するとき前記凸条部１０の下面部１０Ａに指先を掛けることが可能な位置に形成されていることを特徴とする上記（１）記載のオーディオ装置。
（３）前記凸条部１０の下面部１０Ａに、前記凸条部１０の他の面よりも大きな摩擦力を有する滑り止め手段が設けられていることを特徴とする上記（２）記載のオーディオ装置。
（４）前記凸条部１０は中空構造であり、その一部が前記筐体１内に連通して別の一部が外部に開放されていることを特徴とする上記（１）〜（３）のいずれかに記載のオーディオ装置。
（５）前記筐体１の上面１Ｂにおける長手方向両側に、前記筐体１を把持する手が収まる間隔をあけて一対のマイクロフォン５、もしくは一対のスピーカユニットが設けられていることを特徴とする上記（１）〜（４）のいずれかに記載のオーディオ装置。
【発明の効果】
【０００９】
本発明に係るオーディオ装置によれば、アンテナ固定部に固定されたアンテナに沿って形成される凸条部により、アンテナを外的圧力から保護し、装置の持ち運びなどに際してアンテナが外力を受けて曲がったり破損したりすることを防止できる。
【００１０】
又、凸条部は、筐体の前面及び背面のいずれか一方にあってアンテナ固定部に固定されたアンテナよりも下側となる位置に形成され、筐体を手で把持するとき凸条部の下面部に指先を掛けることが可能とされていることから、筐体を持ち運ぶときアンテナに指を掛けずして筐体を滑り落すことなく確りと把持することができ、しかも凸条部の下面部に滑り止め手段が設けられている構成では、筐体を持ち運ぶ際の落下の危険性を一層減らすことができる。
【００１１】
加えて、アンテナ固定部に固定されたアンテナに沿って凸条部を設けるようにしていることから、筐体の内容積を減ずることなく凸条部を形成でき、しかも凸条部が中空構造のバスレフポートとして機能する構成により、音響信号を低音増強しながら出力することが可能となる。
【００１２】
更に、筐体の上面における長手方向両側に、筐体を把持する手が収まる間隔をあけて一対のマイクロフォン、もしくは一対のスピーカユニットが設けられる構成では、マイクロフォンやスピーカユニットを掌で覆うことなく確実に筐体を把持し、筐体を持ち歩きながら収音したり音楽鑑賞したりすることができる。
【図面の簡単な説明】
【００１３】
【図１】本発明に係るオーディオ装置の一実施形態を示す正面図
【図２】図１に示したオーディオ装置の上面図
【図３】図１に示したオーディオ装置の側面図
【図４】図１に示したオーディオ装置を背面側からみた斜視図
【図５】図１に示したオーディオ装置の背面図
【図６】図１に示したオーディオ装置の筐体を把持した状態を示す説明図
【図７】図５のＸ−Ｘ断面図
【図８】図５の他の形態におけるＸ−Ｘ断面図
【図９】図５のＹ−Ｙ断面図
【図１０】本発明に係るオーディオ装置の制御系の構成例を示すブロック図
【図１１】凸条部の変形例を示す断面図
【発明を実施するための形態】
【００１４】
以下、図面に基づいて本発明を詳しく説明する。先ず、図１において、１は本発明に係るオーディオ装置１００の筐体である。係る筐体１は、その前後両面（前面１Ａおよび背面１Ｃ）に指を押し当てて把持することのできる奥行（例えば、５〜８ｃｍ程度）を有した小型にして横長の形態であり、その前面１Ａの中央部には液晶パネルなどからなる表示部２が設けられている。表示部２の両側には多孔状のスピーカカバー３が設けられ、そのスピーカカバー３の裏側において、筐体１には左右一対のスピーカユニット１２が内蔵されている。
【００１５】
又、筐体１の上面１Ｂには、主電源スイッチや音量調整用ボタンといったスイッチ群を配した操作部４が設けられているほか、その操作部４を挟んで長手方向両側に左右一対のマイクロフォン５が突設されている。尚、一対のマイクロフォン５は、筐体１を把持する把持者の手の幅よりも大きな間隔（例えば、８〜１２ｃｍ程度）をあけて配置されている。これにより、筐体１を把持するとき、操作部４を掌で覆いながら筐体１の中央部を把持するために、オーディオ装置１００を安定して把持することが可能となる。なお、操作部４は上面１Ｂに限らず他の面に設けられてもよく、表示部２に重ねて設けられるタッチパネルであってもよい。また、表示部２は前面１Ａに限らず上面１Ｂ等他の面に設けられてもよい。
【００１６】
一方、図２〜図５に示すように、筐体１の背面１Ｃにはアンテナ６が設けられている。図示例において、アンテナ６は口径が異なる複数の金属パイプを軸方向に伸縮自在に嵌合せしめたロッドアンテナであり、その大径側の一端は筐体１の背面１Ｃ上に突出するジョイント７に連結されている。
【００１７】
ジョイント７は、筐体１の背面１Ｃに直交する軸回りに回転可能とされ、そのジョイント７で一端が支持されたアンテナ６は、ジョイント７の回転軸線に直交する軸回りに旋回可能とされている。したがって、アンテナ６は図２〜図５の実線で示される状態を収納位置として、ラジオ放送を受信するときなどには図５の一点鎖線で示されるように上方旋回させて筐体１の上面１Ｂより上方に伸長させることが可能とされている。尚、アンテナ６は、上記収納位置において、筐体１の幅方向（長手方向）に向けて背面１Ｃにおける外面部に沿ってアンテナ固定部８に固定され、その先端が筐体１の幅方向一端面より突出しない状態に縮小される。
【００１８】
ここに、アンテナ固定部８は、筐体１の背面１Ｃより突出する弾性突片８Ａおよびリブ８Ｂのほか、上記ジョイント７を含んで構成され、ジョイント７と弾性突片８Ａとによりアンテナ６の軸方向両側を支持しながら、リブ８Ｂにてジョイント７と弾性突片８Ａとの中間位置を支持する構成とされている。
【００１９】
又、図４および図５に示すように、筐体１の背面１Ｃには、アンテナ固定部８に固定されたアンテナ６に沿って凸条部１０が形成されている。その凸条部１０は、アンテナ固定部８に固定されたアンテナ６よりも下側となる位置に形成され、収納位置における最短状態のアンテナ６より大きな長さ有して水平方向に延び、その両端がジョイント７および最短状態に短縮されたアンテナ６の先端よりも筐体１の幅方向に張り出している。特に、凸条部１０は、図６のように筐体１の前面１Ａと背面１Ｃに指を押し当てて筐体１を把持するとき、凸条部１０の下面部１０Ａに指先を掛け得る高さ位置に形成されている。例えば、凸条部１０はその下面部１０Ａが筐体１の上面１Ｂから２〜４ｃｍ程度の距離となる位置に形成されている。これにより、例えば図６のように筐体１の前面１Ａに第１指（親指）を押し当てつつ他の４指を凸条部１０の下面部１０Ａに押し当てて筐体１を把持することが可能とされている。これによれば、筐体１を把持して持ち運ぶとき、アンテナ６に指を掛けるなどしてアンテナ６を曲げてしまうことを防止しながら、筐体１を滑り落すことなく確実に把持して持ち運ぶことができる。
【００２０】
尚、図６において、凸条部１０は、筐体１の背面１Ｃからの突出量（高さ）がアンテナ固定部８に固定されたアンテナ６よりも若干小さくなる設定とされているが、これをアンテナ６に対し同一高さ又は高くしてもよく、具体的にはその高さを０．７〜１．５ｃｍ程度とすることが好ましい。
【００２１】
又、図示例において、凸条部１０の下面部１０Ａは、筐体１の背面１Ｃから隔たるに伴って高くなる傾斜面とされ、これにより指先を違和感なく掛けられるようになっているが、その下面部１０Ａを筐体１の背面１Ｃに対して直交する水平面としてもよい。
【００２２】
更に、凸条部１０の下面部１０Ａには、凸条部１０の他の面より大きな摩擦力を有する滑り止め手段として、複数条の溝を形成したりゴム板などの摩擦板を貼り付けたりすることが好ましく、これにより筐体１を持ち運ぶ際の落下の危険性を一層減らすことができる。
【００２３】
次に、図７〜図９において、スピーカユニット１２は、筐体１に内蔵される出力部１３（例えば、アンプ）を介して制御部１４に導電接続されている。
【００２４】
又、凸条部１０は中空構造にして図７に示す一端または図８に示すように分断した中空構造の一端が筐体１内に連通し、他の一端が外部に開放されていてもよい。このため、スピーカユニット１２の後方に出力された音波が凸条部１０の内部で共振することにより、共振周波数近傍の周波数帯域を増強させることができる。つまり、上記凸条部１０は、アンテナ６を外的圧力から保護する防護壁、ならびに筐体１を把持する際のグリップ部として機能するほか、低音増強用のバスレフポートとしても機能する。なお、図７においては、凸条部１０の全体が１つのバスレフポート２０となっており、その一端部が開口部２１として外部に開放されている。
【００２５】
図８は、筐体１の内部構造が左右のスピーカユニット１２を備える空間および図示しない回路基板を備える空間に区切られており、左右のスピーカユニット１２を備える各々の空間に対して凸条部によるバスレフポートが設けられていることを示している。このため左右各々の空間に対してバスレフポート２１が設けられ、各々のバスレフポートに開口部２１が設けられる。
【００２６】
図９の断面図により、凸条部１０は内部が中空となっていることが分かると共に、凸条部１０はアンテナ６を外的圧力から保護する役割を有していることが分かる。また、凸条部１０はアンテナ６に限らずアンテナ６を固定する弾性突片８Ａおよびリブ８Ｂを外的圧力から保護する機能も有する。リブ８Ｂは凸条部１０に一体的に形成されていてもよく、凸条部１０を構成する一部がリブ８Ｂとして機能してもよい。
【００２７】
更に、筐体１には、上記マイクロフォン５に導電接続する入力部１５のほか、マイクロフォン５などから取得される音響信号を格納する記憶部１６、ならびに放送受信部１７として例えばラジオチューナが内蔵され、その放送受信部１７とアンテナ６が上記ジョイント７を介して導電接続する構成とされている。
【００２８】
図９および図１０に示すように、上記表示部２、操作部４、出力部１３、入力部１５、記憶部１６、ならびに放送受信部１７は、制御部１４に導電接続されており、マイクロフォン５やアンテナ６を通じて取得される音響信号を制御部１４によって記憶部１６に格納したり、記憶部１６に格納せずしてスピーカユニット１２から直に外部出力したりすることが可能とされている。
【００２９】
図１０において、制御部１０はＣＰＵ（Central Processing Unit）やＤＳＰ（Digital
Signal Processor）等により構成され、操作部４に入力された操作信号等に基づきＣＰＵやＤＳＰが備えるＲＡＭ（Random Access
Memory）やＲＯＭ（Read Only Memory）に記憶されたプログラムを動作させることにより、各部を制御する。
【００３０】
記憶部１７は、オーディオ装置１００に内蔵されたＨＤＤやフラッシュメモリ等であり、楽曲データや放送受信部１７により受信した放送の録音データ等を記憶する。記憶部１７は、図示しないメモリカードスロットや各種端子等により接続されるメモリカードや外部記憶媒体であってもよい。放送受信部１７は、制御部１４の制御によりアンテナ６から入力した放送電波における所望の周波数を選択し、受信した放送信号を復調する。
【００３１】
出力部１３は、記憶部１６や放送受信部１７から出力された音声データを、スピーカ１２や外部装置に出力する。出力部１３はアナログ音声信号やデジタル音声データが出力され、出力されるデジタル音声データをアナログ音声信号に変換するＤＡＣ（Digital Analog Converter）を含んでいてもよい。また、出力部１３は音声信号や音声データを増幅する増幅部（アンプ）を備えていてもよい。
【００３２】
入力部１５は、マイクロフォン５や外部装置から各種信号やファイルを入力する。入力部１５は、アナログ音声信号やデジタル音声データが入力され、入力されるアナログ音声信号をデジタル音声データに変換するＡＤＣ（Analog Digital Converter）を含んでいてもよい。
【００３３】
以上、本発明に係るオーディオ装置１００の実施形態を説明したが、凸条部１０は筐体１の外側にのみ凸となる形態に限らず、図１１のように筐体１の内側に対しても凸となっている形態にしてもよい。このような形態により凸条部として適切なサイズであるとともに、バスレフポートとして凸条部のサイズにとらわれない適切な容量とすることができる。
【００３４】
一方、アンテナ６は伸縮するロッドアンテナに限らず、無伸縮型でもシート基材に導線部を形成した薄板型などでもよく、その用途もラジオ受信用に限らず、テレビ放送の受信用であったり、送信専用あるいは送受信兼用であったりしてもよい。
【００３５】
又、マイクロフォン５に代えて、スピーカユニットを筐体１の上面１Ｂに設けてもよい。
【符号の説明】
【００３６】
１  筐体
５  マイクロフォン
６  アンテナ
７  ジョイント
８  アンテナ固定部
８Ａ  弾性突片
８Ｂ  リブ
１０  凸条部
１０Ａ  下面部
１２  スピーカユニット
１７  放送受信部
【図１】
2012109648.tif 000003
【図２】
2012109648.tif 000004
【図３】
2012109648.tif 000005
【図４】
2012109648.tif 000006
【図５】
2012109648.tif 000007
【図６】
2012109648.tif 000008
【図７】
2012109648.tif 000009
【図８】
2012109648.tif 000010
【図９】
2012109648.tif 000011
【図１０】
2012109648.tif 000012
【図１１】
2012109648.tif 000013